(57)【要約】【課題】Ｘ線イメージ管の製品種類に応じて電源本体の端子部の向きと制御基板の出力調整部の向きとが異なる場合でも、共通化できるＸ線イメージ管の電源装置を提供する。【解決手段】Ｘ線イメージ管の電源装置11は、電源本体12、制御基板13、および接続手段15を備える。電源本体12は、側面に向けてＸ線イメージ管を接続する端子部19を有し、Ｘ線イメージ管に供給する電圧を出力する。制御基板13は、側面に向けて電源本体12の出力電圧を調整する出力調整部23を有し、端子部19の向きに対して出力調整部23の向きを変えて電源本体12上に組み合わせ可能とする。接続手段15は、端子部19の向きと出力調整部23の向きとのいずれの組み合わせでも電源本体12と制御基板13とを接続可能とする。【選択図】図１
2012142197.tif 000002
【特許請求の範囲】
【請求項１】
側面に向けてＸ線イメージ管を接続する端子部を有し、Ｘ線イメージ管に供給する電圧を出力する電源本体と、
側面に向けて前記電源本体の出力電圧を調整する出力調整部を有し、前記端子部の向きに対して前記出力調整部の向きを変えて前記電源本体上に組み合わせ可能とする制御基板と、
前記端子部の向きと前記出力調整部の向きとのいずれの組み合わせでも前記電源本体と前記制御基板とを接続可能とする接続手段と
を具備していることを特徴とするＸ線イメージ管の電源装置。
【請求項２】
前記接続手段は、前記電源本体に設けられた電源本体側コネクタ、前記制御基板に設けられた制御基板側コネクタ、およびこれら電源本体側コネクタと制御基板側コネクタとを接続するケーブルを有し、これら電源本体側コネクタおよび制御基板側コネクタの少なくとも一方が複数設けられている
ことを特徴とする請求項１記載のＸ線イメージ管の電源装置。
【請求項３】
前記端子部の向きと前記出力調整部の向きとのいずれの組み合わせでも前記電源本体と前記制御基板とを固定可能とする固定手段とを具備している
ことを特徴とする請求項１または２記載のＸ線イメージ管の電源装置。
【請求項４】
前記固定手段は、前記制御基板の中心部を軸に前記電源本体に対して回転可能に支持する軸支部を有し、この軸支部で前記電源本体と前記制御基板とを固定する
ことを特徴とする請求項３記載のＸ線イメージ管の電源装置。
【発明の詳細な説明】
【技術分野】
【０００１】
本発明の実施形態は、Ｘ線イメージ管に電圧を供給するＸ線イメージ管の電源装置に関する。
【背景技術】
【０００２】
従来、Ｘ線による工業用非破壊検査や医療用などに使用されるＸ線イメージ管では、Ｘ線イメージ管に電源装置が組み付けられ、この電源装置からＸ線イメージ管が備える複数の電極に対してそれぞれ対応する電圧を供給している。
【０００３】
電源装置は、Ｘ線イメージ管の電極に供給する電圧を発生して出力する電源本体と、この電源本体の出力電圧を制御する制御基板とを有し、電源本体上に制御基板が組み合わされて固定されている。
【０００４】
電源本体の一側面には、この端子部にＸ線イメージ管の電極に接続される配線を接続する端子部が設けられ、また、制御基板上には、個々のＸ線イメージ管毎に電源本体からの出力電圧を調整する出力調整部が制御基板の一側面に向けて設けられている。
【０００５】
このような電源装置は、Ｘ線イメージ管の製品種類に応じて、Ｘ線イメージ管と接続する配線を電源本体の端子部に配線可能な向きでＸ線イメージ管側に設置されるが、この設置方向によっては制御基板の出力調整部の操作が困難になったりできなくなる場合がある。
【０００６】
そのため、電源装置の電源本体の端子部の向きと制御基板の出力調整部の向きとの組み合わせを変えた電源装置が用いられるが、電源装置の種類が多くなり、管理コストなどにより、価格が高くなる問題点がある。
【先行技術文献】
【特許文献】
【０００７】
【特許文献１】特開２０１０−７３６７７号公報
【発明の概要】
【発明が解決しようとする課題】
【０００８】
従来のＸ線イメージ管の電源装置では、Ｘ線イメージ管の製品種類に応じて、電源本体の端子部の向きと制御基板の出力調整部の向きとが異なる複数の種類の電源装置を用意する必要がある。
【０００９】
本発明が解決しようとする課題は、Ｘ線イメージ管の製品種類に応じて電源本体の端子部の向きと制御基板の出力調整部の向きとが異なる場合でも、共通化できるＸ線イメージ管の電源装置を提供することである。
【課題を解決するための手段】
【００１０】
本実施形態のＸ線イメージ管の電源装置は、電源本体、制御基板、および接続手段を備える。電源本体は、側面に向けてＸ線イメージ管を接続する端子部を有し、Ｘ線イメージ管に供給する電圧を出力する。制御基板は、側面に向けて電源本体の出力電圧を調整する出力調整部を有し、端子部の向きに対して出力調整部の向きを変えて電源本体上に組み合わせ可能とする。接続手段は、端子部の向きと出力調整部の向きとのいずれの組み合わせでも電源本体と制御基板とを接続可能とする。
【図面の簡単な説明】
【００１１】
【図１】一実施形態を示すＸ線イメージ管の電源装置の斜視図である。
【図２】同上電源装置の電源本体と制御基板との向きを変えて組み合わせた斜視図である。
【図３】同上電源装置の設置例を(a)(b)に示す説明図である。
【発明を実施するための形態】
【００１２】
以下、一実施形態を、図面を参照して説明する。
【００１３】
図１および図２にＸ線イメージ管の高電圧電源装置である電源装置11を示す。この電源装置11は、Ｘ線イメージ管が備える陰極、集束電極および陽極などの複数の電極に対してそれぞれ対応する電圧を供給するものである。
【００１４】
電源装置11は、Ｘ線イメージ管の各電極に供給する電圧を発生して出力する高電圧回路ユニットである電源本体12、この電源本体12の出力電圧を制御する制御基板13、電源本体12上に制御基板13を固定する固定手段14、および電源本体12と制御基板13とを電気的に接続する接続手段15を備えている。
【００１５】
電源本体12は、平面視で周辺形状が正方形に形成されたケース18を有し、このケース18内にＸ線イメージ管の各電極に供給する電圧を発生する図示しない電源ユニットが配置されている。電源本体12のケース18の周面のうちの一面にはＸ線イメージ管の各電極と給電ケーブルによってそれぞれ接続する端子部19が配設されている。この端子部19には、各給電ケーブルをそれぞれ接続する複数のコネクタ20が配置されている。
【００１６】
また、制御基板13は、平面視が正方形に形成され、上面に電源本体12から各電極への出力電圧を制御する図示しない制御回路が搭載されている。制御基板13の周辺部のうちの一辺に沿って、電源本体12から各電極への出力電圧を調整する出力調整部23が搭載されている。この出力調整部23には、電極毎の出力電圧を調整用およびその他の調整用に例えば可変抵抗器などで構成される複数の調整ボリューム24が配置される。これら調整ボリューム24は、制御基板13の一辺に対向し、その制御基板13の一辺側から調整操作可能としている。
【００１７】
この制御基板13は、電源本体12の端子部19の向きに対して制御基板13の出力調整部23の向きを変えた複数の組み合わせ位置のいずれでも、電源本体12上に組み合わせ可能としている。本実施形態では、図１に示すように電源本体12の端子部19の向きと制御基板13の出力調整部23の向きとが同じ向きとなる組み合わせ位置（以下、第１の組み合わせ位置と呼ぶ）と、図２に示すように電源本体12の端子部19の向きと制御基板13の出力調整部23の向きとが９０°異なる向きとなる組み合わせ位置（以下、第２の組み合わせ位置と呼ぶ）とのいずれか一方に選択的に組み合わせることができる。
【００１８】
また、固定手段14は、電源本体12と制御基板13との複数の組み合わせ位置のいずれでも電源本体12と制御基板13とを固定可能とするものであり、本実施形態では上記２つの組み合わせ位置でそれぞれ固定可能とする。
【００１９】
固定手段14は、電源本体12のケース18の四隅から立設されていて制御基板13を載置する複数のロッド27、および制御基板13の中心部を軸に電源本体12に対して回転可能に支持する軸支部28を有し、この軸支部28で電源本体12と制御基板13とを固定する。
【００２０】
軸支部28は、電源本体12のケース18の中心部から立設された固定軸29、およびこの固定軸29の先端に螺着される固定部材30を有している。制御基板13の中心部には図示しない取付孔が形成されており、この取付孔に固定軸29を貫通させて制御基板13が複数のロッド27上に載置され、制御基板13を貫通する固定軸29の先端に固定部材30を螺着して締め付けることにより、制御基板13が固定される。また、固定部材30の締め付けを緩めて固定解除した状態で、固定軸29を中心として制御基板13を回転可能とする。
【００２１】
また、接続手段15は、電源本体12と制御基板13との複数の組み合わせ位置のいずれでも電源本体12と制御基板13とを接続可能とするものであり、本実施形態では上記２つの組み合わせ位置でそれぞれ接続可能とする。
【００２２】
接続手段15は、電源本体12の周辺部で異なる辺に沿ってそれぞれ設けられた複数の電源本体側コネクタ33a，33b、制御基板13上の周辺部で異なる辺に沿ってそれぞれ設けられた複数の制御基板側コネクタ34a，34b、およびこれら電源本体側コネクタ33a，33bと制御基板側コネクタ34a，34bとを接続する１つのケーブル35を有している。ケーブル35の両端には各コネクタ33a，33b，34a，34bに接続されるコネクタ36が設けられている。
【００２３】
本実施形態では、電源本体側コネクタ33a，33bおよび制御基板側コネクタ34a，34bがそれぞれ２つずつ用いられており、電源本体12の周辺部の対向する２つの辺に沿って２つの電源本体側コネクタ33a，33bがそれぞれ設けられている。また、図１に示す第１の組み合わせ位置において、一方の電源本体側コネクタ33aが設けられた電源本体12の辺と同一の向きとなる制御基板13の辺に一方の制御基板側コネクタ34aが設けられているとともに、図２に示す第２の組み合わせ位置において、他方の電源本体側コネクタ33bが設けられた電源本体12の辺と同一の向きとなる制御基板13の辺に他方の制御基板側コネクタ34bが設けられている。これら各組み合わせ位置で同一の向きとなる電源本体側コネクタ33a，33bと制御基板側コネクタ34a，34bとがケーブル35で接続される。
【００２４】
２つの電源本体側コネクタ33a，33b、および２つの制御基板側コネクタ34a，34bのいずれにケーブル35が接続された場合でも、特別な切り換えなしに電源本体12側と制御基板13側とが接続されるように構成されている。
【００２５】
次に、図３(a)(b)に電源装置11の設置例を示す。電源装置11は、Ｘ線イメージ管を収容する筐体41の外部に設置され、筐体41内のＸ線イメージ管にケーブル42によって電気的に接続される。
【００２６】
電源装置11の設置には、図３(a)に示すように、筐体41からのケーブル42を接続する電源本体12の端子部19の向きと制御基板13の出力調整部23の操作方向とが同じ場合と、図３(b)に示すように、筐体41からのケーブル42を接続する電源本体12の端子部19の向きと制御基板13の出力調整部23の操作方向とが異なる場合とがある。
【００２７】
図３(a)に示すように、筐体41からのケーブル42を接続する電源本体12の端子部19の向きと制御基板13の出力調整部23の操作方向とが同じ場合に対応して、電源装置11は、図１に示すように、固定手段14の固定部材30を緩めて制御基板13の固定を解除した状態で、制御基板13の出力調整部23の向きが電源本体12の端子部19の向きと同じ向きとなる第１の組み合わせ位置に、固定軸29を中心として制御基板13を回動させ、固定手段14の固定部材30を締め付けて制御基板13を電源本体12に固定する。さらに、第１の組み合わせ位置において、同じ向きとなる一方の電源本体側コネクタ33aと一方の制御基板側コネクタ34aとをケーブル35で接続する。図３(a)に示すように、この電源装置11を筐体41に設置し、筐体41からのケーブル42を電源本体12の端子部19に接続し、また、制御基板13の出力調整部23によって電源本体12からの出力電圧を調整する。
【００２８】
また、図３(b)に示すように、筐体41からのケーブル42を接続する電源本体12の端子部19の向きと制御基板13の出力調整部23の操作方向とが異なる場合に対応して、電源装置11は、図２に示すように、固定手段14の固定部材30を緩めて制御基板13の固定を解除した状態で、制御基板13の出力調整部23の向きが電源本体12の端子部19の向きと９０°異なる向きとなる第２の組み合わせ位置に、固定軸29を中心として制御基板13を回動させ、固定手段14の固定部材30を締め付けて制御基板13を電源本体12に固定する。さらに、第２の組み合わせ位置において、同じ向きとなる他方の電源本体側コネクタ33bと他方の制御基板側コネクタ34bとをケーブル35で接続する。図３(b)に示すように、この電源装置11を筐体41に設置し、筐体41からのケーブル42を電源本体12の端子部19に接続し、また、制御基板13の出力調整部23によって電源本体12からの出力電圧を調整する。
【００２９】
本実施形態の電源装置11によれば、Ｘ線イメージ管の製品種類に応じて、電源本体12の端子部19の向きと制御基板13の出力調整部23の向きとを任意に変えて使用できるため、電源装置11の共通化を図れ、電源装置11の種類を削減し、安価にできる。
【００３０】
また、制御基板13の出力調整部23を操作しやすい方向に向けることができるため、出力電圧の調整を容易にできる。
【００３１】
また、接続手段15として、複数の電源本体側コネクタ33a，33bおよび複数の制御基板側コネクタ34a，34bを備えることにより、電源本体12と制御基板13との各組み合わせ位置において、ケーブル35により電源本体12と制御基板13とを接続できるうえに、ケーブル35の長さを短くできるため、ケーブル35へのノイズの侵入を防止でき、配線が邪魔になるようなことも防止できる。
【００３２】
なお、電源本体側コネクタ33a，33bおよび制御基板側コネクタ34a，34bのうち、両方とも複数個ずつ設けてもよいが、いずれか一方が複数設けられていれば、電源本体12と制御基板13との各組み合わせ位置において、ケーブル35により電源本体12と制御基板13とを接続できる。
【００３３】
また、固定手段14により、各組み合わせ位置のいずれでも電源本体12と制御基板13とを固定することができる。
【００３４】
この固定手段14は、制御基板13の中心部を軸に電源本体12に対して回転可能に支持する軸支部28を有するため、この軸支部28で制御基板13を回転させて組み合わせ位置を容易に変えることができ、また、この軸支部28で電源本体12と制御基板13とを固定したり固定解除する操作を容易にできる。
【００３５】
なお、固定手段14は、軸支部28に限らず、操作に手間がかかるが制御基板13をロッド27にねじ止めするなど、他の手段を用いてもよい。
【００３６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
11    電源装置
12    電源本体
13    制御基板
14    固定手段
15    接続手段
19    端子部
23    出力調整部
28    軸支部
33a，33b    電源本体側コネクタ
34a，34b    制御基板側コネクタ
35    ケーブル
【図１】
2012142197.tif 000003
【図２】
2012142197.tif 000004
【図３】
2012142197.tif 000005